Podtech/llm-jp-corpus-v4-ja_patent huggingface dataset:
(57)【要約】【課題】この発明は、リュックサックと人の背中との間に、取り外し可能で、コンパクトな背当てを設けることで風を通し背中の蒸れを解消するものである【解決手段】背当てには、プラスチック等容易に変形・圧縮しない素材を使用し、その上部にクッション素材を設け、背当ての両端から出たベルトの先に取り付けたクリップ等の止め具により、リュックサックのショルダーベルト下端にそれぞれ結着した後、リュックを背負い、背中との間に空間を設け背中の蒸れを解消する。背当てをプラスチック等の硬いものとすることでリュックの重量に潰されず空間を確保でき、背中部分、特に背骨部分（突起部）に当たるところをクッション素材とすることで、違和感、不快感がないものとなる。  本発明は、以上の構成からなる、脱着が容易で使用しないときはコンパクトに収納することを特徴とするリュックサックの蒸れ解消背当てである。【選択図】図１
2016147037.tif 000002
【特許請求の範囲】
【請求項１】
背当て（２）の上部にクッション素材（１）を設け、背当ての両端から出たベルト（３）の先に止め具（４）が設けられていることを特徴とするリュックサックの蒸れ解消背当て。
【請求項２】
ベルト（３）には、ベルトの長さ調整具（７）が取り付けてある請求項１のリュックサックの蒸れ解消背当て。
【発明の詳細な説明】
【技術分野】
【０００１】  この発明は、普段使用している様々なリュックサックと人の背中との間に、取り外し可能で、コンパクトな背当てを設けることで風を通し背中の蒸れを解消するものである
【背景技術】
【０００２】  従来、リュックサックを背負った際、リュックと背中とが密着し、特に夏季においては激しく発汗することがあった。
【先行技術文献】
【特許文献】
【０００３】
【特許文献１】  特開平１０−１４６５７号公報
【発明の概要】
【発明が解決しようとする課題】
【０００４】  従来のリュックサックは、背当て部が平坦で、背負ったときそのほぼ全面が背中と密着することで、特に夏の時期には背中に多量の汗をかき、不快となりやすい。
これまでにも背中との間の蒸れを解消するエアーパッド等の背当ての類、或いは背中にメッシュ地で空間を設ける構造を有したリュックサックが既に存在しているが、これらはいずれもリュックと背中との間に完全なる空間を設けるものにはなっておらず、リュックサック自体に空間を設けた構造のものは、設けた空間の分、リュック自体の収納スペースを犠牲にしてしまうなど、その特長には一長一短がある。
また、これまでの背当てには、コンパクトにまとまり、リュックサックなどに収納できるものは存在しなかった。
本発明は、以上のような欠点を無くすためになされたものである。
【課題を解決するための手段】
【０００５】  背当てには、プラスチック等容易に変形・圧縮しない素材を使用し、その上部にクッション素材を設け、背当ての両端から出たベルトの先に取り付けたクリップ等の止め具により、任意のリュックサックのショルダーベルト下端の両端をクッション面が背中を向くようそれぞれ結着した後リュックを背負い、背中との間に空間を設け、発汗による蒸れを解消する。
背当てをプラスチック素材等の硬いものとすることで荷物を満載したリュックの重量に潰されず空間を確保でき、また、背中の部分、特に背骨の部分（突起部）に当たるところをクッション素材とすることで、使用時に違和感、不快感がないものとなる。
また、使わないときは止め具を外し、容易にリュックサック内に収納することができる。
本発明は、以上の構成からなる、脱着が容易で収納力を損なわずコンパクトに収納することができる蒸れ解消背当てである。
【発明の効果】
【０００６】  リュックサックのショルダーベルト下端に結着した背当てを背中の中央に位置させ背負い、リュックサックと背中との間に空間を設けることで風を通し、背中の蒸れを解消することができる。
【図面の簡単な説明】
【０００７】
【図１】本発明の斜視図
【図２】本発明の使用状態を示す斜視図
【発明を実施するための形態】
【０００８】  以下、本発明を実施するための形態について説明する。
クッション素材（１）を背当て（２）の上部に接着させる。
背当て（２）の内部からベルト（３）を通す。
ベルト（３）の両端に止め具（４）を装着する。
止め具（４）をリュックサック（５）のショルダーベルト（６）下端部にそれぞれ結束する。
本発明は、以上のような構造である。これを使用するときは、背当てのクッション部分を背中の任意部分に当てリュックを背負い、リュックと背中の間に空間を設けることで蒸れを解消することができる。
【他の実施例】
【０００９】  ベルト（３）の一方には、ベルトの長さ調整具（７）を設け、幅の違うリュックにも応用できるようにした。
【符号の説明】
【００１０】  １  クッション素材
２  背当て
３  ベルト
４  止め具
５  リュックサック
６  ショルダーベルト
７  ベルトの長さ調整具
【図１】
2016147037.tif 000003
【図２】
2016147037.tif 000004
(57)【要約】      （修正有）【課題】終夜運転、不在運転する電化製品の異常温度上昇による火災発生を防止する。【解決手段】安全テーブルタップは筐体の底部に取り付けられた温度センサで異常温度上昇を検出し、メカニカルリレー２、半導体リレーを用いて遮断して安全を確保する。さらに、その遮断状態を記憶するためのメモリ装置により再通電を防止して安全を確かなものとしている。【選択図】図１
2016162750.tif 000002
【特許請求の範囲】
【請求項１】
安全テーブルタップ筐体内部に温度センサを取り付け、電化製品の異常温度上昇を検出し、安全テーブルタップの出力をメカニカルリレーまたは半導体リレーを用いて遮断し、電化製品への給電を停止して安全を確保する安全テーブルタップ。
【請求項２】
メカニカルリレー、半導体リレーを遮断した状態を記憶し、電源の供給が停止され、電化製品の温度が下降し、温度センサが定常状態を検出しても、再通電させないためのメモリ機能をもつ安全テーブルタップ。
【発明の詳細な説明】
【技術の分野】
【０００１】  家庭用電化製品用配線器具に関するものである。
【背景技術】
【０００２】  家庭用電化製品の不具合が原因の火災発生を防止し、より安全、安心、快適な日常生活ができるようにすることを目的とする。
【先行技術文献】
【０００３】
【特許文献】
【特許文献】  平０９−３２２２１  本申請に関する先行技術文献の特許出願平０９−３２２２１はトイレ用洗浄装置の洗浄水を温めるヒーターの温度管理に温度センサを用いており、本申請ものとは異質なものである。【０００４】
【非特許文献】
【非特許文献】  実用新案第３１６８２０７  実用新案第３１６８２０７はインテリジェントテーブルタップ装置という名称で出願されている。テーブルタップにマイコン、ディスプレイ、電力検出モジュール、警告器、外部コンピュータとの間を繋ぐ無線送受信モジュール、外部に設置するセンサを接続するための接続用端子をなど数多くの機能を集積したタップである。
本申請と明白に異なる部分の第１点はタップ本体に温度センサが付いていないことである。第２点は本申請の安全テーブルタップにはマイコン、ディスプレイ、電力検出モジュール、警告器、外部コンピュータの間を繋ぐ無線送受信モジュール、外部に設置するセンサを接続するための端子などは皆無であり、全く別の物と考えられる。
【発明の概要】
【発明が解決しようとする課題】
【０００５】  家庭用電化製品は安全対策として、ヒューズ、過熱対策その他製品に対応する安全対策が施されていることは周知のとおりである。しかし、家族が不在中、就寝中、長時間運転する場合、器具の安全性は信頼しているものの、一抹の不安を感じる場合がある。このような不安を解消するため、もう１段階上の安全と心の安心を確保し、火災発生の防止を目標とした。
【課題を解決するための手段】
【０００６】  安全テーブルタップは運転する電化製品本体の熱を発生し易い箇所近くに取り付けて使用する。タップに取り付けられた温度センサで温度を検出し、設定温度を超えたとき、機械式リレーまたは半導体素子を利用したスイッチを切断して、電化製品への電源供給を停止する。温度センサの情報はメモリ回路に記憶され、電化製品の温度が低下しても停止状態は維持される。電化製品への電源の再供給は安全タップをコンセントから抜くなど、安全タップへの電源供給を停止することで復帰が可能となる。
【発明の効果】
【０００７】  安全テーブルタップを用いることにより、家族の不在中、就寝中にプログラム運転する機会が多い、電化製品、洗濯機、除湿器、加湿器などの安心運転と最悪の火災発生を防止して、家財消失から家族を守り、社会の損失を少なくできる。
【図面の簡単な説明】
【０００８】
【図１】はメカニカルリレー方式安全テーブルタップのブロック図
【図２】は半導体方式安全テーブルタップのブロック図
【図３】はメカニカルリレー方式安全テーブルタップの接続図
【図４】は半導体方式安全テーブルタップの接続図
【図５】はメカニカルリレー方式安全テーブルタップの外観図
【図６】は半導体方式安全テーブルタップの外観図
【発明を実施するための形態】
【実施例】
【０００９】  図３を用いてメカニカルリレー方式安全テーブルタップの実施例について説明する。機械式リレーを２個用い、温度センサとして、機械式サーモスタットを用いている。温度センサはテーブルタップ本体の底部に取り付けられ、電化製品から発生する熱を伝え易くなっている。【００１０】  本安全テーブルタップを取り付けた電化製品が不具合を発生し、安全装置が万一働かず、過熱状態になると、サーモスタットの動作温度を超えサーモスタットは導通状態となって、主メカニカルリレーの動作コイルに通電され、主メカニカルリレーはノーマリオン接触の状態からノーマリオフ接点に切り替わり電化製品への通電を遮断する。【００１１】  主メカニカルリレーが切り替わったことにより補助メカニカルリレーの動作コイルに電流が流れ、主メカニカルリレーと同様にノーマリーオフに切り替わり、遮断状態を保持する。このため、サーモスタットが定常状態に戻っても、繰り返し電化製品に通電されることはなく、安全状態を維持できる。【００１２】  電化製品に再通電させるためには、前述したように、本安全テーブルタップをコンセントから抜くことで、リッセトされ通電が可能となる。【００１３】  図４は振動発生の多い電化製品にも利用できる半導体方式の安全テーブルタップである。主スイッチにソリッドステートリレー、半導体温度センサ、遮断状態を保持する半導体メモリ回路から構成されている。機械方式と同様に、電化製品の異常温度上昇を検出し、電源供給を遮断し、その状態を安全テーブルタップがコンセントから抜かれるまで半導体メモリ回路で記憶保持するため、安全性が確保される。【００１４】  主スイッチはソリッドステートリレーに限らず、個別素子、集積回路を用いても良く、メモリ回路についても個別素子のみでなく集積回路を用いても良いのは当然である。
【産業上の利用可能性】
【００１５】  本申請の安全テーブルタップは家庭用電化製品の安全、安心を確保するのみでなく、産業、医療分野などでも利用できる。機器の不具合による火災発生を防ぐことができるため、個人の財産、国益を守ることができる。装置は構造が簡単、取り扱いも容易であり、廉価に提供できる利点がある。
【符号の説明】
【００１６】  １  安全テーブルタップ筐体
２  メカニカルリレー
３  主メカニカルリレー
４  補助メカニカルリレー
５  サーモスタット
６  出力ソケット
７  半導体メモリ装置
８  ソリッドステートリレー
９  半導体温度センサ
１０  スナバ回路
１１  商用電源入力
【図１】
2016162750.tif 000003
【図２】
2016162750.tif 000004
【図３】
2016162750.tif 000005
【図４】
2016162750.tif 000006
【図５】
2016162750.tif 000007
【図６】
2016162750.tif 000008
(57)【要約】      （修正有）【課題】悪天候でフェンダーミラーの鏡についた水滴のため映像が見えにくい、それを解消するために、遠心力による水滴を取り除くフェンダーミラーを提供する。【解決手段】フェンダーミラー本体１に表面が平面で裏面が凹面のレンズ２の凹面３に鏡面処理を施した表面が平面で裏面が凹面のレンズ２を高速回転させるモーター４を設けたフェンダーミラー。【選択図】図３
2016002995.tif 000002
【特許請求の範囲】
【請求項１】
サイド又はフェンダーミラー本体（１）に設けた、表面が平面で裏面が凹面のレンズ（２）の凹面部（３）に鏡面処理を施したレンズ（２）を高速回転させるモーター（４）を設けた，フェンダーミラー。
【発明の詳細な説明】
【技術分野】
【０００１】    本発明はフェンダーミラーの鏡が悪天候で水滴がつき見にくいので目が疲れる、それを解消する為に船舶で使用している高速回転で水滴を取り除く円形のガラス窓がある。これを参考に鏡を回転させる装置を設け、遠心力で水滴を取り除き鏡を見やすくしたものである。
【背景技術】
【０００２】    従来は、フェンダーミラーの鏡の水滴を取り除く為にワイパーを設けた製品もあるが、鏡を回転させ遠心力で水滴を取り除くフェンダーミラーは無かった。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【０００５】    従来のフェンダーミラーは水滴を取り除く為にワイパーを備えた製品があるが視野が狭く、ワイパーのゴムが磨り減ると鏡面に水による線ができる、鏡面にキズがつく、など難点があった。  本発明は、この課題を解消するためになされたものである。
【課題を解決するための手段】
【０００６】    フェンダーミラー本体（１）に設けた前面が平らで裏面が凹面のレンズ（２）をモーター（４）で高速回転させ遠心力で水滴を取り除くので視野も凹面（３）に鏡面処理をした全面が見ることができる。
【発明の効果】
【０００７】    悪天候に置いても鏡は遠心力で水滴を取り除き通常と変わらず綺麗な映像が見れる為、目が疲れない。  凸面鏡を回転させるよりも本件の鏡は表面が平面なので円の中心点から外側まで直線状になる、従って遠心力による水滴を取り除く効率がよい。    以下本発明の実施の形態について説明する。（イ）、フェンダーミラー本体（１）に設けた表面が平面で裏面が凹面のレンズ（２）の凹面（３）に鏡面処理を施したレンズ（２）を高速回転させるモーター（４）を設けたフェンダーミラー。（ロ）、表面が平面で裏面が凹面のレンズ（２）の裏凹面（３）に鏡面処理を施したことにより凸面鏡の前面に平面を設けることができた。（ハ）、レンズ（２）の形状は中心より外側が肉厚の為、スムーズに回転する。
【図面の簡単な説明】
【０００８】
【図１】本発明の正面図である。
【図２】本発明の側面図である。
【図３】本発明の断面図である。
【符号の説明】
【０００９】    １  フェンダーミラー本体    ２  表面が平面で裏面が凹面のレンズ    ３  鏡面処理を施した凹面    ４  モーター    ５  鏡と駆動軸をつなぐ円盤状の止め具    ６  鏡の角度を自在にする為のモーター止め具    ７  モーターの動力配線
【発明を実施するための形態】
【・・・・】
【実施例】
【・・・・】
【産業上の利用可能性】
【・・・・】
【符号の説明】
【・・・・】
【受託番号】
【図１】
2016002995.tif 000003
【図２】
2016002995.tif 000004
【図３】
2016002995.tif 000005
(57)【要約】【課題】現在市販されている複数枚刃の替え刃のフォルダーは全てＴ字型であり、装着方法が市販の規格の一枚刃替え刃レーザーとは全く違うため、広く理容店で使われている市販の規格の一枚刃替え刃レーザーには装着不可能で使用できなかった。それを可能とするかみそりアダプターを提供する。【解決手段】一枚刃替え刃と同等な大きさの長方形の板からなる台座の両端に左右とも同じ大きさの突出した脚部、その先端に円筒体を一対持つ。左右の脚部が下側に屈曲し、円筒体は、台座の下側に位置するものとする。その左右の脚部及び円筒体の内側の中央部分に脚部及び円筒体と同じ程度の長さに突出し、やや下側に屈曲した形状の舌部を設ける。一対の円筒体の間に、コイルを中央に持ち、両端をコイルと同一直線上に伸ばした直線状の針金のバネ先端をもつ、引っ張りバネを挿通したことを特徴とし、一枚刃替え刃レーザーのかみそり刃保持部に装着できることを特徴とする、かみそりアダプター。【選択図】図１
2016002440.tif 000002
【特許請求の範囲】
【請求項１】
一枚刃替え刃と同等な大きさの長方形の板からなる台座の両端に左右とも同じ大きさの突出した脚部、その先端に円筒体を一対持つ。左右の脚部が下側に屈曲し、円筒体は、台座の下側に位置するものとする。その左右の脚部及び円筒体の内側の中央部分に脚部及び円筒体と同じ程度の長さに突出し、やや下側に屈曲した形状の舌部を設ける。一対の円筒体の間に、コイルを中央に持ち、両端をコイルと同一直線上に伸ばした直線状の針金のバネ先端をもつ、引っ張りバネを挿通したことを特徴とし、一枚刃替え刃レーザーのかみそり刃保持部に装着できることを特徴とする、かみそりアダプター。
【発明の詳細な説明】
【技術分野】
【０００１】本発明は市販のＴ字型複数枚刃かみそりのかみそりブレード部を、理容店で使用可能な一枚刃替え刃レーザーに装着を可能とすることができるようにするアダプターである。
【背景技術】
【０００２】従来の市販されている複数枚刃の替え刃式かみそりは、ほとんど全てＴ字型のフォルダーであり、理容店での使用がほとんど不可能であった。
【発明の概要】
【発明が解決しようとする課題】
【０００３】複数枚刃を持つＴ字型替刃かみそりのかみそりブレード部を利用し、市販の一枚刃替え刃レーザーに装着可能とするかみそりアダプターの発明である。
【課題を解決するための手段】
【０００４】市販の一枚刃替え刃レーザーの刃と同等な大きさの板に、そこから突出した一対の接続部を設け、市販の複数枚刃の替刃式かみそりのかみそりブレード部を装着できる、かみそりアダプターを発明した。
【発明の効果】
【０００５】従来、使用不可能あった市販の複数枚刃のＴ字型のかみそりブレードを市販の規格の一枚刃替え刃レーザーに本発明のアダプターを使用することにより、使用が可能になった。
【図面の簡単な説明】
【０００６】
【図１】本発明の斜視図１
【図２】本発明の斜視図２
【図３】本発明の側面図
【図４】本発明の組み立て図
【図５】本発明のアダプターと市販複数枚刃ブレードの装着図
【図６】本発明のアダプターを介した市販複数枚刃ブレードと一枚刃替え刃レーザーの装着図
【図７】樹脂で一体成型し、両脚部外側にかえしを設けた保持爪の図
【発明を実施するための形態】
【０００７】以下、本発明の実施の形態を説明する。
市販の一枚刃替え刃と同等な大きさの長方形の板からなる台座（１）に、その長辺側の中央から外側、かつ、長辺外側の両端より、やや内側に左右とも同じ大きさの突出した脚部（２）、その先端に円筒体（３）を一対持つ。左右の脚部（２）が下側に屈曲し、円筒体（３）は、台座（１）の下側に位置するものとする。その左右の脚部及び円筒体の内側の中央部分に脚部及び円筒体と同じ程度の長さに突出し、やや下側に屈曲した形状の舌部（４）を設ける。舌部（４）は、四角形の形状が好ましい。
【０００８】引っ張りバネ（５）は、中央部分の密度の高いコイル（６）と両端をコイルと同一直線上に伸ばした直線状の針金のバネ先端（７）により構成される。コイル（６）の長さは、脚部先端の円筒部（３）の両端内側と等距離とし、バネ先端（７）は、脚部先端の円筒部（３）を通し、長さが円筒体を通した装着時、脚部先端の円筒部（３）の両端外側より、突出し、台座（１）の端部より短い長さとする。
【０００９】図４のように、本アダプターのコイル（６）を引きながらブレードと本アダプターを密着させ、左右のバネ先端（７）を左右、円筒体（３）内に引っ込めて、左右のバネ先端（７）をジレット社・フュージョンのかみそりブレード（８）の背面の左右二つの開口部（９）に、引っ張っていた引っ張りバネ（５）を戻すと固定することができる。
【００１０】図５のジレット社・フュージョンのかみそりブレード（８）と本アダプターが結合した物の、台座（１）を市販の一枚刃替え刃レーザー（１０）のかみそり刃保持部（１１）に装着し、使用する。
【００１１】台座（１）、脚部（２）、脚部円筒部（３）は、金属加工または、樹脂等で一体成型することも可能であるものとする。
【００１２】図６は、その他の実施例を示したものである。引っ張りバネ（５）脚部先端の円筒部（３）を設けず、脚部（２）を脚部円筒部（３）と同等な長さにし、脚部（２）の左右外側に、やや突出した直角三角形のかえしの保持ツメ（１１）を作り一体成型して固定することも本発明の形態であるものとする。この形態は、台座（１）をたわませて装着させるものとする。
【符号の説明】
【００１３】１  台座、２  脚部、３  円筒体、４  舌部、５  引っ張りバネ、６  コイル、７  バネ先端、８  市販かみそりのブレード、９  背面の開口部、１０  市販の一枚刃替え刃式かみそり、１１  一枚刃替え刃を保持するフォルダー部、１２  直角三角形のかえしの保持ツメ
【図１】
2016002440.tif 000003
【図２】
2016002440.tif 000004
【図３】
2016002440.tif 000005
【図４】
2016002440.tif 000006
【図５】
2016002440.tif 000007
【図６】
2016002440.tif 000008
【図７】
2016002440.tif 000009
(57)【要約】      （修正有）【課題】網の孫の手、網の接触面が如何なる痒い場所へも、広範囲に心地よく、衛生的に使用しえることを特徴とした、孫の手を提供する。【解決手段】擦り面１が１０メッシュの金網により筒体２の構造物で構成され、筒体２は、接続金具３の先端部３ａにハンダ付けされていている。接続金具３の先端部３ａは筒体２の胴周り形状に合致する凹曲面状に形成されていて、筒体２はＴ字状に構成されている。接続金具３は、先端部３ａから端末部３ｂにかけてＳ字状に曲げられていて、端末３ｃを柄４の先端部４ａの先端部溝４ｂに嵌着し、接着材、又はかしめ鋲５で固定されている。【選択図】図１
2016002447.tif 000002
【特許請求の範囲】
【請求項１】
柄の先端の擦り面を網状の構造物で構成したことを特徴とする孫の手。
【請求項２】
請求項第１項記載の網状の構造物は、金網または金網に相当するもので筒状に形成し、柄の先端に凸状に取り付けたことを特徴とする孫の手。
【請求項３】
請求項第１項及び第２項記載の孫の手において、網状の筒体は、滅菌作用または抗菌作用のある材料で被覆したことを特徴とする孫の手。
【発明の詳細な説明】
【発明の詳細な説明】
【技術分野】
【０００１】  本発明は、手の届かない所はもちろん、痒い所全般に擦り合わせて、心地よく、衛生的に痒みを解消することを特徴とする、孫の手に関するものである。
【背景技術】
【０００２】  従来痒い所を引き掻く用具として、通称孫の手と称される竹製のものが古来より使われている。
【先行技術文献】
【特許文献】
【０００３】
【特許文献１】特許公開２０１２−４５３５２号公報
【特許文献２】登録実用新案第３０９９９９６号公報
【０００４】  一般に孫の手は、割り竹を平たくし、先端を孫の手のように曲げ加工したものが古来より知られている。
【発明の概要】
【発明が解決しようとする課題】
【０００５】  従来の孫の手では、肌を引き掻くように使われているので、ときに肌に傷が出来てまったり、傷のある痒いところでは、傷口が拡大してしまうことがある。
また従来の孫の手には、柄の先端にあたる部分の素材や形状に十分に考慮したものがなかった。本発明は、これらの問題点を解決するためになされたものである。
【課題を解決するための手段】
【０００６】  本発明は、柄の先端の擦り面を網状の筒体で構成したことが特徴である。
【発明の効果】
【０００７】引き掻くように使う従来の孫の手は、本発明によって、擦り合わせるようになり、肌との接触面が網のため、痒みの皮膚に優しく傷が出来にくくなる。傷のある痒みでも、傷口の悪化を抑えながら消痒出来る。又、接触面が円曲線で幅広に形成することにより、接触面積も広く全ての凹凸曲面肌に適合させることができる。更に、使用時には、網目から伝わる心地よさと、抗菌加工による感染予防の向上を図ることができる。
【図面の簡単な説明】
【０００８】
【図１】本発明の網材による実施例を示した側面図である。
【図２】本発明の網材による実施例を示した上面図である。
【図３】本発明の網材による実施例を示した斜視図である。
【発明を実施するための形態】
【０００９】  図１、図２、図３に示す孫の手は、擦り面１が１０メッシュの金網により筒体２の構造物で構成されている。筒体２は、接続金具３の先端部３ａにハンダ付けされていている。接続金具３の先端部３ａは筒体２の胴周り形状に合致する凹曲面状に形成されていて、筒体２はＴ字状に構成されている。
接続金具３は、先端部３ａから端末部３ｂにかけてＳ字状に曲げられていて、端末３ｃを柄４の先端部４ａの先端部溝４ｂに嵌着し、接着材、又はかしめ鋲５で固定されている。
筒体２は、１０メッシュの金網を使用すると、中央部１ａの胴周り網目数が４０目、右左端末部２ａと２ｂの胴周りが３０目、右左端末２ａと２ｂ間の横幅が３２目前後の網目数で形成されている。金網の切断面は、はんだ付け又は接着剤で解れ防止を施こされていて、筒体右左側部２ａと２ｂに対応する切断面端末は、３網目数が筒体の内側に返折されている。擦り面１に対応する金網中央部は、内側から凸状に押し出しながら、胴体になる切断面２ｃと２ｄの両端を、ハンダ付け又は接着剤で繋げて筒型に屈曲形成されている。擦り面１は、円状の曲線で形成されて、擦り面１の対極面２ｅは、切断面２ｃと２ｄ両端接続時に、ほぼ直線状に形成されている。接続具３のＳ字状の曲がりは、擦り面１と柄４長手方向との寸法Ａがおおむね５０ｍｍ前後になるよう形成されている。擦り面の対極面２ｅと、接続具先端部３ａの接続部には、樹脂被膜材６を熱処理圧着し、筒体金網端末２ｃ，２ｄに対する安全保護がなされている。柄４は、木質材、又は硬質樹脂で構成されている。
前記擦り面１を構成する筒体２の網は、８〜１２メッシュの金網または同等の構造材でも構成できる。樹脂成形機による硬質樹脂一体成型も可能である。
擦り面１の面形状は、人体骨格形状による肌面の凹凸形状の全てに対応出来るようになっている。接続具３のＳ字曲がりにより、人体構造の如何なる所にも擦り面１が上手く届き接触出来るようになっている。使用時の安全面には特に考慮し、優れた消痒作用と、擦り傷の発症も抑制し、又、構造強度もありながら、心地よい感触も得られる特徴とするものになる。
本発明の網状の円筒体２は、滅菌作用または抗菌作用のある材料で被覆すれば、更に、清潔にするものである。
【００１０】  このように構成した本発明の孫の手は、柄４のにぎり部４ｃを握り、擦り面１を痒い肌に接して軽く擦り合わせるように使用される。また、接触面の形状が肌の全ての凹凸肌曲面に適合し、接触面も広く痒いところ全てに、心地よく安全で衛生的な使用が可能になったものである。
【符号の説明】
【００１１】  １  擦り面
１ａ  擦り面中央部
２  金網の筒体構造物
２ａ  金網の筒体構造物右端末
２ｂ  金網の筒体構造物左端末
２ｃ  金網筒体部端末
２ｄ  金網筒体部端末
２ｅ  擦り面の対極面と胴体端末接続部
３  接続金具
３ａ  接続金具先端筒体２の取付面
３ｂ  接続金具端末部
３ｃ  接続金具端末柄接続部
４  柄
４ａ  柄先端部
４ｂ  柄先端接続金具嵌着溝
４ｃ  柄にぎり部
５  かしめ鋲
６  樹脂被膜
Ａ  擦り面を、柄から凸状に構成するための寸法
【図１】
2016002447.tif 000003
【図２】
2016002447.tif 000004
【図３】
2016002447.tif 000005
(57)【要約】【課題】在宅にて高齢者のオムツ交換をするとき、介護者がオムツ交換に必要な介護用品がそれぞれ置いてある場所が異なるため、一つ一つ揃えてからオムツ交換をするという無駄な動きがあった。オムツ交換に必要な介護用品を一式揃えられる介護用オムツ交換トレイ付き収納箱を提供する。【解決手段】高齢者のオムツ交換に必要な介護用品をすぐに取り出せるようにした収納部本体と、オムツ交換をするときに必要な介護用品をトレイの上に乗せ必要な場所に移動もできるようにしたトレイ収納部と、オムツ交換をした後の汚れ物を捨てるためのゴミ袋等を収納できるようにした引出し収納部を設けた介護用オムツ交換トレイ付き収納箱。【選択図】図２
2016002443.tif 000002
【特許請求の範囲】
【請求項１】
高齢者のオムツ交換に必要な介護用品をすぐに取り出せるようにした収納部本体と、オムツ交換をするときに必要な介護用品をトレイの上に乗せ必要な場所に移動もできるようにしたトレイ収納部と、オムツ交換をした後の汚れ物を捨てるためのゴミ袋等を収納できるようにした引出し収納部を設けた介護用オムツ交換トレイ付き収納箱。
【発明の詳細な説明】
【技術文献】
【０００１】  本発明は、在宅用にて高齢者のオムツ交換する時に必要な介護用品をスッキリとまとめるための収納箱に関するものである。
【技術背景】
【０００２】  従来、高齢者のオムツ交換をする時、オムツ交換に必要な介護用品がそれぞれ異なる所に置いてあることが多く無駄な動きが多かった。
なお、初めから介護用品をセット販売するという救急介護セット（特許文献１）が知られている。
【先行技術文献】
【特許文献】
【０００３】
【特許文献１】  特開２００１−３４０３８６号公報
【発明の概要】
【発明を解決しようとする課題】
【０００４】  在宅にて高齢者のオムツ交換をする時、介護者がオムツ交換に必要な介護用品（オムツカバー、パット、陰洗ボトル、薬、テイッシュペーパー、ボディソープ、介護用手袋等）がそれぞれ置いてある場所が異なるため、一つ一つ揃えてからオムツ交換をするという無駄な動きが多かった。
本発明は、以上の問題点を解決するためになされたものである。
【課題を解決するための手段】
【０００５】  高齢者のオムツ交換に必要な介護用品をすぐに取り出せるようにした収納部本体と、オムツ交換するときに必要な介護用品をトレイの上に乗せ必要な場所に移動もできるようにしたトレイ収納部と、オムツ交換をした後の汚れ物を捨てるためのゴミ袋を収納できるように引出し収納部を設ける。
以上の構成よりなるオムツ交換トレイ付き収納箱。
【発明の効果】
【０００６】  従来、オムツ交換をする時に必要な介護用品がそれぞれ異なる場所にあり無駄な動きが多くあったが、いざオムツ交換の作業をするとき介護用品が一式揃えてあるため必要な物を取り出しすぐ作業ができる。また、トレイを移動する事もできるためスムーズにオムツ交換ができる。
使用したら補充して次回に備えることができ、常に一定の場所に必要な物があり、無駄な動きがなくなった。
本発明は、見た目もスッキリとみえる。
【図面の簡単な説明】
【０００７】
【図１】本発明の斜視図
【図２】本発明の使用状態を示す斜視図
【図３】本発明のトレイ収納部を移動した使用状態を示す斜視図
【発明を実施するための形態】
【０００８】    以下、本発明の実施の形態を説明する。
（イ）本発明の収納部には収納部本体（１）と、トレイ収納部（２）と、引出し収納部（３）を設ける。
（ロ）収納部本体（１）には、オムツ交換に必要ですぐに取り出せるオムツカバー（１４）、パット（１５）、おしりふき（１６）を収納する。
（ハ）収納部本体（１）には、オムツとりかえ手袋箱（１１）を縦に置き、取り出し口（１３）を外側に向ける。収納部本体（１）の縦部（４）は、取り出し口（１３）よりやや低めの高さのため手袋（１２）は取り出しやすい。
また、収納部本体（１）の横幅（２４ａ）〜（２４ｂ）は、オムツとりかえ手袋箱（１１）の動きの出ない幅に設定する。
（ニ）トレイ収納部（２）は、引出し収納部（３）の上に乗せているだけなので、必要なときは移動して使用できる。
（ホ）トレイ収納部（２）には、仕切り部（５）（６）（７）を設けオムツ交換時に必要なボディソープ（１８）、陰洗ボトル（１７）、薬（１９）を収納する。
（ヘ）トレイ収納部（２）には、テイッシュペーパー置き場（８）を設け、テイッシュペーパー箱（２１）を横に置きティシュ取り出し口（２０）を外側に向ける。トレイ収納部（２）の縦部（９）は、テイッシュ取り出し口（２０）よりやや低めの高さのため、テイッシュペーパー（２６）は取り出しやすい。
また、トレイ収納部（２）の横幅（２５ａ）〜（２５ｂ）は、テイッシュペーパー箱（２１）の動きの出ない幅に設定する。
（ト）トレイ収納部（２）を移動するときには、フリースペース（１０）に収納部本体（１）よりオムツカバー（１４）、パット（１５）おしりふき（１６）を乗せることによりオムツ交換に必要なものが一式揃え移動できる。
（チ）引出し収納部（３）には、オムツ交換にて不要になったものを包んで捨てるために、折った新聞（２３）（一枚の新聞をＡ４の大きさにたたんで縦に折ったもの）と、ごみ袋（２２）を収納する。
本発明は以上のような構造である。
【０００９】  本発明を使用するときは、高齢者のオムツ交換するとき収納部本体（１）の中にあるオムツとりかえ手袋箱（１１）の手袋（１２）を取り出し口（１３）より必要な分を取り出し手に装着する。
収納本部本体（１）のオムツカバー（１４）、パット（１５）、おしりふき（１６）をトレイ収納部（２）のフリースペース（１０）に乗せる。陰洗ボトル（１７）には、ぬるめのお湯を用意して置く。移動が必要なときは、トレイ収納部（２）にはオムツ交換に必要なもの，オムツカバー（１４）、パット（１５）、おしりふき（１６）、陰洗ボトル（１７）、ボディソープ（１８）、薬（１９）ティッシュペーパー（２６）が一式揃えてあるので、それぞれを使用してオムツ交換をする。
処理を終えると、引出し収納部（３）より取り出した折った新聞（２３）でゴミを包むか、ごみ袋（２）に入れてごみに出す。
使用した介護用品は、同じ場所に補充するようにする。
【符号の説明】
【００１０】１収納部本体、２トレイ収納部、３引出し収納部、４縦部、５仕切り部、６仕切り部、７仕切り部、８テイッシュペーパー置き場、９縦部、１０フリースペース、１１オムツとりかえ手袋箱、１２手袋、１３取り出し口、１４オムツカバー、１５パット、１６おしりふき、１７陰洗ボトル  １８ボディソープ、１９薬、２０テイッシュ取り出し口、２１テイッシュペーパー箱、２２ごみ袋、２３折った新聞、２４ａ横幅、２４ｂ横幅、２５ａ横幅、２５ｂ横幅、２６テイッシュペーパー
【図１】
2016002443.tif 000003
【図２】
2016002443.tif 000004
【図３】
2016002443.tif 000005
(57)【要約】【課題】  片手でハンドル部を持ち、顔面部の耳下腺の位置と下顎部の顎下腺や舌下腺の位置に唾液腺を刺激する突起を有するローラーを同時に当て、腕を上下に動かすことによって、唾液腺を刺激する突起を有するローラーが回転して唾液腺をマッサージして唾液の分泌を促進することが可能な唾液腺マッサージ具を提供する。【解決手段】  唾液腺マッサージ具の構造は、片手で持つハンドル部（１）からＶ字状に左右二股に延びる弾性アーム（２）の先端に、唾液腺を刺激する突起を有するローラー（３）が、顔面部の耳下腺部と下顎部の顎下腺や舌下腺を同時にマッサージできるような角度で取り付けられており、腕を上下に動かすことにより唾液腺を刺激する突起を有するローラー（３）が回転して唾液腺をマッサージして唾液の分泌を促進することができる。【選択図】図１
2016002446.tif 000002
【特許請求の範囲】
【請求項１】
片手でハンドル部を持ち、顔面部の耳下腺の位置と下顎部の顎下腺や舌下腺の位置に唾液腺を刺激する突起を有するローラーを同時に当てて、腕を上下に動かすことにより、唾液腺を刺激する突起を有するローラーが回転して唾液腺をマッサージして唾液の分泌を促進することが可能な唾液腺マッサージ具。
【請求項２】
本発明の唾液腺マッサージ具は、片手で持つハンドル部からＶ字状に左右二股に延びる弾性アームがあり、弾性アームの先端には唾液腺を刺激する突起を有するローラーがついている。
【請求項３】
ハンドル部から延びる弾性アームは、片手でハンドル部を持ち、顔面部の耳下腺の位置と下顎部の顎下部や舌下腺の位置に唾液腺を刺激する突起を有するローラーを同時に当てた時に適度な圧力がかかる程度の弾力を有している。
【請求項４】
唾液腺を刺激する突起を有するローラーは、顔面部の耳下腺の位置と下顎部の顎下腺や舌下腺の位置にローラーが同時に当たる角度で取り付けられている。
【発明の詳細な説明】
【技術分野】
【０００１】  本発明は顔面部にある唾液腺を適度に刺激して唾液の分泌を促進させる唾液腺マッサージ具に関するものである。
【背景技術】
【０００２】  高齢化に伴い口腔内の唾液の分泌が少なくなり口腔乾燥症がおこることがあります。従来、口腔乾燥症の患者に対して、唾液腺をマッサージしてこれを刺激し、唾液の分泌を促進することがおこなわれてきました。唾液腺は、耳下腺、顎下腺、舌下腺が三大唾液腺として知られています。唾液腺のマッサージは、これらの部位を患者自らもしくは介助者が唾液の分泌を促進するために手を直接使いマッサージする方法や電動モーターの回転による振動を利用した器具を顔面の唾液腺近くにあてて刺激する方法が行われていました。
【先行技術文献】
【０００３】
【特許文献】
【非特許文献】
【発明の概要】
【発明が解決しようとする課題】
【０００４】  従来の唾液腺マッサージにおいて、人の手で唾液腺をマッサージする方法は、両手を使用し唾液腺のある顔面部を直接手で押えつつ、腕を上下に動さなくてはならなかったので、人によってはマッサージのやり方や手加減が難しかった。
また電動モーターの回転による振動を利用した器具で唾液腺に刺激を与える方法は、電気代がかかることや電気部品の故障の心配があった。
本発明は、電気も不要で、電気部品の故障の心配もなく、また片手で手軽に唾液腺をマッサージできるように考案されたものである。
【課題を解決するための手段】
【０００５】  本発明の唾液腺マッサージ具は、片手で持つハンドル部からＶ字状に左右二股に延びる弾性アームがあり、弾性アームの先端には唾液腺を刺激する突起を有するローラーが取り付けられている。
ハンドル部からＶ字状に延びる弾性アームは、片手でハンドル部を持ち、顔面部の耳下腺の位置と下顎部の顎下腺や舌下腺の位置に唾液腺を刺激する突起を有するローラーを同時に当てた時に適度な圧力がかかる程度の弾力を有している。
唾液腺を刺激する突起を有するローラーは、顔面部の耳下腺の位置と下顎部の顎下腺や舌下腺の位置にローラーが同時に当たる角度で取り付けられている。
片手でハンドル部を持ち、顔面部の耳下腺の位置と下顎部の顎下腺や舌下腺の位置に唾液腺を刺激する突起を有するローラーを当てて、腕を上下に動かすことによって、唾液腺を刺激するための突起を有するローラーが回転して唾液腺をマッサージして唾液の分泌を促進することが可能である。
【発明の効果】
【０００６】  本発明の唾液腺マッサージ具を用いれば、片手でハンドル部を持ち顔面部の耳下腺の位置と下顎部の顎下腺や舌下腺の位置に唾液腺を刺激する突起を有するローラーを同時に当てて、腕を上下に動かすことにより、唾液腺を刺激する突起を有するローラーが回転して唾液腺をマッサージして唾液の分泌を促進することが可能である。
両手を直接唾液腺に押し当ててマッサージするのではなく、唾液腺マッサージ具を軽く添えて唾液腺をマッサージするので微妙な力の加減ができる。
唾液腺マッサージ具を使用することにより、腕を上下に動かすだけで手軽に唾液腺マッサージ効果が得られ、唾液の分泌を促進することができる。
【図面の簡単な説明】
【０００７】
【図１】本発明の唾液腺マッサージ具の正面図である。
【発明を実地するための形態】
【０００８】  以下、本発明の形態について、図面を参照しつつ詳細に説明すれば図１において唾液腺マッサージ具の構造は、片手で持つハンドル部（１）からＶ字状に左右二股に延びる弾性アーム（２）の先端に、唾液腺を刺激する突起を有するローラー（３）が顔面部の耳下腺と下顎部の顎下腺や舌下腺を同時にマッサージできるような角度で取り付けられている。ハンドル部（１）からＶ字状に延びる弾性アーム（２）は、片手でハンドル部を持ち、顔面部の耳下腺の位置と下顎部の顎下腺や舌下腺の位置に唾液腺を刺激する突起を有するローラー（３）を同時に当てた時に適度な圧力がかかる程度の弾力を有している。
【符号の説明】
【０００９】１  ハンドル部
２  弾性アーム
３  唾液腺を刺激する突起を有するローラー
【図１】
2016002446.tif 000003
(57)【要約】【課題】この発明は、一人でも湿布を上手に貼れる様に、本体中央部にカット部分を設け、ゴムテープを取り付けた湿布貼り補助具を提供する。【解決手段】湿布貼り補助具の本体中央部にカット部分を設け湿布置き位置にレザーを貼り、たてにゴムテープを取り付け、バックルとアジャスターを付属させたゴムテープを本体の左右に取り付けた事を特徴とする。【選択図】図１
2016002448.tif 000002
【特許請求の範囲】
【請求項１】
本体中央部にカット部分を設け、湿布置き位置にレザーを貼り、たてにゴムテープを取り付け、バックルとアジャスターを付属させたゴムテープを本体の左右に取り付けた湿布貼り補助具。
【発明の詳細な説明】
【技術分野】
【０００１】この発明は、一人でも湿布を上手に貼れる様に、本体中央部にカット部分を設け、ゴムテープを取り付けた湿布貼り補助具に関するものである。
【背景技術】
【０００２】
【先行技術文献】
【特許文献】
【特許文献】無し
【０００３】
【特許文献１】
【発明の概要】
【発明が解決しようとする課題】
【０００４】腰や背中に湿布を貼ろうと試みても、一人ではなかなか上手に貼れなかった。
【課題を解決するための手段】
【０００５】本体中央部をカットし、湿布置き位置にレザーを貼り、たてにゴムテープを取り付け、バックルとアジャスターを付属させたゴムテープを本体の左右に取り付けた湿布貼り補助具に関するものである。
【発明の効果】
【０００６】ウエストや背中をゴムテープで固定するので、貼りたい位置を容易に決めることが出来る。湿布置き位置にレザーを貼り、たてにゴムテープを取り付けた事によってすべり落ちにくくなり、さらに本体中央部にカット部分を設ける事により湿布の中央をしっかり貼る事が出来る。
【図面の簡単な説明】
【０００７】
【図１】本発明の分解平面図である。
【図２】本発明の斜視図である。
【発明を実施するための形態】
【０００８】本体中央部にカット部分を設け、湿布置き位置にレザーを貼り、たてにゴムテープを取り付け、バックルとアジャスターを付属させたゴムテープを本体の左右に取り付けた。本発明は以上の様な構造である。
【符号の説明】
【０００９】１  本体
２  レザー
３  ゴムテープ（穴Ａ用）
４  ゴムテープ（穴Ｂ用）
５  ゴムテープ（穴Ｃ用）
６  バックル
７  アジャスター
Ａ
Ｂ
Ｃ
【図１】
2016002448.tif 000003
【図２】
2016002448.tif 000004
(57)【要約】【課題】  従来、補高便座は介護される者が、座ったり、立ち上がり易い様に取り付けられてあり、足の踏ん張りに関しては考慮されていません。そこで本発明は、この問題を解決するためになされたものである。【解決手段】  トイレ本体の下部両側の床に、スライド式の踏み台を取り付け便座に座る時にスライドさせ、前に出てきた踏み台に足を乗せる。  本発明があれば、補高便座が取り付けられているトイレに座ってもスライド式踏み台を取り出せば、足の裏全体が踏み台にしっかりと乗せることが出来る為、踏ん張りが効くようになり排便しやすくなる。【選択図】図１
2016002444.tif 000002
【特許請求の範囲】
【請求項１】
トイレに補高便座を取り付けた時に、足の踏ん張りが効く様に踏み台を使用する。
【請求項２】
踏み台にスライドバーを取り付け伸縮可能にし、踏み台をトイレ下部奥へ収納させる事が出来る。
【発明の詳細な説明】
【技術分野】
【００１】  この発明は補高便座使用時の足の踏ん張りを補助するスライド式踏み台に関するものである。
【背景技術】
【００２】  補高便座が取り付けられているトイレに座ると、腰の位置が高くなり床に足がしっかりと届き難くなる為、踏ん張りが効かず排便しづらい。
【発明の概要】
【発明が解決しようとする課題】
【００３】  従来、補高便座は介護される者が、座ったり、立ち上がり易い様に取り付けられてあり、足の踏ん張りに関しては考慮されていません。
そこで本発明は、この問題を解決するためになされたものである。
【課題を解決するための手段】
【００４】  トイレ本体の下部両側の床に、スライド式の踏み台を取り付け便座に座る時にスライドさせ、前に出てきた踏み台に足を乗せる。
【発明の効果】
【００５】  本発明があれば、補高便座が取り付けられているトイレに座ってもスライド式踏み台を取り出せば、足の裏全体が踏み台にしっかりと乗せることが出来る為、踏ん張りが効くようになり排便しやすくなる。
【発明を実地するための形態】
【００６】  ・机の引き出しのスライドバーなどを利用する。
・スライドバーを引き出しから取り外し、その先に高さ５ｃｍほどの足の裏サイズの木材などを取り付ける。
・木材の裏には床に傷が付かないためと滑り止めとしてゴムを固定する。
・スライドバーはトイレ本体の下部両側に、伸ばすと踏み台が程好く足元に来るように取り付ける。
・これにより、補高便座が取り付けられているトイレを、使用する時にはスライド式踏み台を伸ばし、使用しない時はスライド式踏み台をたたませ、収納させる事が出来る様になる。
・自宅のトイレに補高便座が取り付けられている場合には、介護する者と家族もそのトイレを使用する事になるので、男性が使用する時は収納し、女性が使用す時は伸ばし踏み台を使用するという様に全員が快適にトイレを使う事が出来る様になる。
【図面の簡単な説明】
【図１】  スライド式踏み台本体のスライドバーを伸ばした時と縮めた時の斜視図
【図２】  スライド式踏み台をトイレに取り付け、スライドバーを伸ばした時の右側図と真上から見た図
【図３】  スライド式踏み台をトイレに取り付け、スライドバーを縮めた時の右側図と真上から見た図
【符号の説明】
【００７】  １  ・・・  スライドバーを伸ばした状態
２  ・・・  スライドバーを縮めた状態
３  ・・・  踏み台となる部分（木材など）
４  ・・・  ゴム
５  ・・・  踏み台の高さは５ｃｍ位
６  ・・・  補高便座
７  ・・・  トイレ本体
８  ・・・  スライド式踏み台
９  ・・・  スライド式踏み台を伸ばした状態
１０  ・・・  スライド式踏み台を縮めた状態
【図１】
2016002444.tif 000003
【図２】
2016002444.tif 000004
【図３】
2016002444.tif 000005
(57)【要約】      （修正有）【課題】強風が吹いたり、傾斜の大きいグリーン上に乗ったりしたような場合であっても、容易には動くことが無いゴルフボールを提供する。【解決手段】ゴルフボール１は、通常のゴルフボールよりも密度の低いゴルフボールであって、球状のボール本体２と、ボール本体の内部で、且つ中心部から離れた位置に設けられた重り３とを備える。【選択図】図２
2016002394.tif 000002
【特許請求の範囲】
【請求項１】
通常のゴルフボールよりも密度の低いゴルフボールであって、
球状のボール本体と、
前記ボール本体の内部で、且つ中心部から離れた位置に設けられた重りと、
を備えることを特徴とするゴルフボール。
【請求項２】
前記重りは、前記ボール本体の外表面から前記中心部に向けて埋め込まれている、
ことを特徴とする請求項１に記載のゴルフボール。
【請求項３】
前記重りは、前記ボール本体の密度よりも高い密度の物質である、
ことを特徴とする請求項１又は２に記載のゴルフボール。
【請求項４】
前記重りは、金属製のネジである、
ことを特徴とする請求項１乃至３の何れか１項に記載のゴルフボール。
【発明の詳細な説明】
【技術分野】
【０００１】
本発明は、ゴルフボールに関し、特に、狭いゴルフ場でプレーするのに好適に使用できるゴルフボールに関する。
【背景技術】
【０００２】
ゴルフボールは、ゴム製の球形の芯材、その芯材の回りに巻き付けられたゴム糸の繊維、及びその表面を覆うゴム製のカバーから構成されている。そして、そのカバーの表面には、直径１乃至３ミリメートル程度の円形の浅いディンプルが略一様に分布するように多数設けられている。このディンプルは、打球時にゴルフボールを高く且つ真っ直ぐに飛ばすために設けられたものである。すなわち、ゴルフは、一般的にはゴルフボールをより遠くへ飛ばす方が望ましいスポーツである。
【０００３】
本格的なゴルフゲームを楽しむには郊外の丘陵地等に造成された広大なゴルフコースへ出向く必要があり、また、プレーに要する時間も長くかかり、費用も甚だ多く要する。そのため、ゴルフ愛好家の中には安直にゴルフを楽しめないという不満を抱いている人が多い。そこで、そうしたゴルフ愛好家の要望に応えるために、比較的小規模なゴルフコースやテニスコート或は屋内運動場を利用したゴルフコースが提案され、それらは「ＯＫゴルフ」或は「ミニゴルフ」と呼ばれるゴルフ施設が実用されるようになっている。
【０００４】
このようなＯＫゴルフ等に使用されるゴルフボールは、軟質ゴム、軟質プラスチック、発泡ポリウレタン、その他の材料で球体が形成されている。そのため、通常のゴルフボールよりも密度が低く、その飛距離が抑制される。このようなゴルフボールは、通常のゴルフボールよりも飛距離は延びないが、狭いゴルフ場でプレーしていても広いゴルフ場でプレーしているのと同等な感触が得られる（例えば、特許文献１を参照。）。
【先行技術文献】
【特許文献】
【０００５】
【特許文献１】実開平０５−００５１５６号公報
【発明の概要】
【発明が解決しようとする課題】
【０００６】
上述したようなＯＫゴルフ等に使用されるゴルフボールは、軟質ゴム、軟質プラスチック、発泡ポリウレタン、その他の材料で球体が形成されており、通常のゴルフボールよりも密度が低い。そのため、例えば、グリーン上で強風が吹いたり、グリーンの傾斜が大きかったりすると、ボールが動いてしまう、という問題点があった。
【０００７】
１つの側面において、本発明は、強風が吹いたり、傾斜の大きいグリーン上に乗ったりしたような場合であっても、容易には動くことが無いゴルフボールを提供することを目的とする。
【課題を解決するための手段】
【０００８】
１つの案では、ゴルフボールは、通常のゴルフボールよりも密度の低いゴルフボールであって、球状のボール本体と、ボール本体の内部で、且つ中心部から離れた位置に設けられた重りとを備えることを特徴とする。
【発明の効果】
【０００９】
実施の形態によれば、通常のゴルフボールよりも密度の低いゴルフボールであっても、強風が吹いたり、傾斜の大きいグリーン上に乗ったりしたような場合に、容易には動かない。
【図面の簡単な説明】
【００１０】
【図１】本実施の形態のゴルフボールの正面図である。
【図２】本実施の形態のゴルフボールの断面図である。
【発明を実施するための形態】
【００１１】
以下、図面を参照しながら、本発明を実施するための形態について詳細に説明する。
図１は、本実施の形態のゴルフボールの正面図である。図２は、図１のＡ−Ａ断面における本実施の形態のゴルフボールの断面図である。
【００１２】
これらの図において、本実施の形態のゴルフボール１は、通常のゴルフボールと同様、直径が４２．６７ｍｍ以下の球状である。ゴルフボール１は、重さが約２５ｇ乃至２８ｇ程度である。通常のゴルフボールの重さが４５．９３ｇ以下であるので、ゴルフボール１は、通常のゴルフボールよりも軽く、密度が低い。そのため、例えば、グリーン上で強風が吹いたり、グリーンの傾斜が大きかったりすると、通常のゴルフボールよりも動き易い。
【００１３】
ゴルフボール１は、ボール本体２と重り３とを備える。
ボール本体２は、全体的に球状であり、軟質ゴム、軟質プラスチック、発泡ポリウレタン、その他の一種類の材料で単層に形成されていても良いし、表層部をプラスチックで形成して芯核部を発泡ポリウレタン等の発泡合成樹脂とした層状構造に形成することもできる。また、ボール本体２は、直径１乃至３ミリメートル程度の円形の浅いディンプルが表面に略一様に分布するように多数設けられている。
【００１４】
重り３は、ボール本体２の内部で、且つ中心部から離れた位置に設けられている。例えば、重り３は、重さ約１．２ｇの金属製のネジである。重り３は、ボール本体２の外表面から中心部に向けて埋め込まれている。また、重り３は、ボール本体２の密度よりも高い密度の物質である。
【００１５】
すなわち、ゴルフボール１は、その重心が中心部から少しずれることになる。これにより、ゴルフボール１は、転がり難くなる。
上述のような本実施の形態のゴルフボール１と通常のゴルフボールを、ガラス板面上に乗せ、ガラス板を徐々に傾斜させる実験を行った。
【００１６】
その結果、通常のゴルフボールは、平均約３度で転がり始めた。これに対して、本実施の形態のゴルフボール１は、平均約８度で転がり始めた。
しかしながら、ゴルフボール１の中心部からの重心のずれは僅かである。よって、空中ショットや、パターでの転がりにおいて、本実施の形態のゴルフボール１と通常のゴルフボールの挙動の違いは、競技上全く問題ない範囲である。
【００１７】
以上、開示の実施の形態とその利点について詳しく説明したが、当業者は、特許請求の範囲に明確に記載した本発明の範囲から逸脱することなく、様々な変更、追加、省略をすることができるであろう。
【符号の説明】
【００１８】
１      ゴルフボール
２      ボール本体
３      重り
【図１】
2016002394.tif 000003
【図２】
2016002394.tif 000004